(57)【要約】【課題】  排出口を開閉する開閉蓋を作動させる機構を簡単にする。【解決手段】  遊技機１１は、遊技者が遊技を行い所定の入賞条件を満たしたことに基づいて所定数の遊技媒体を払い出すようになっており、払い出された遊技媒体を受け取り該受け取った遊技媒体を貯留する受け皿２１と、受け皿２１に形成されて遊技媒体を排出する排出口２８と、排出口２８を開閉する開閉蓋２９と、開閉蓋２９を回転させる回転部材２３と、を備え、開閉蓋２９は、受け皿２１の底部４１に対して交差する方向に回転可能になっている。【選択図】      図３
2005230321.tif 000002
【特許請求の範囲】
【請求項１】
遊技者が遊技を行い所定の入賞条件を満たしたことに基づいて所定数の遊技媒体を払い出す遊技機において、
前記払い出された遊技媒体を受け取り該受け取った遊技媒体を貯留する受け皿と、
前記受け皿に形成されて前記遊技媒体を排出する排出口と、
前記排出口を開閉する開閉蓋と、
前記開閉蓋を回転させる回転部材と、を備え、
前記開閉蓋は、前記受け皿の底部に対して交差する方向に回転可能であることを特徴とする遊技機。
【請求項２】
前記排出口を開いた状態と閉じた状態とに前記開閉蓋を選択的に保持する保持手段を備えたことを特徴とする請求項１に記載の遊技機。
【発明の詳細な説明】
【技術分野】
【０００１】
本発明は、遊技媒体を排出する排出口を開閉する開閉蓋を備えた遊技機に関する。
【背景技術】
【０００２】
従来、遊技機、例えば，パチンコ機は、遊技盤に設けた入賞口に遊技媒体としてのパチンコ球が入賞したとき、受け皿に連通する賞球排出口から賞球（パチンコ球）を払い出して、パチンコ球を受け皿で蓄えるようになっている。受け皿に蓄えられたパチンコ球は、受け皿の底部に形成してある排出口から排出されるようになっている。その排出口を開閉する開閉蓋は、外部操作によって作動するようになっている（例えば、特許文献１参照）。
【０００３】
【特許文献１】特開平１１−９７９４号公報
【発明の開示】
【発明が解決しようとする課題】
【０００４】
しかし、従来のパチンコ機における開閉蓋は、ばねによって排出穴を閉じた状態に保持されている。このため、従来のパチンコ機は、ばねに抗して開閉蓋を開閉させる機構が必要であり、構成が複雑であり、簡単な構成の機構の出現が待たれていた。
【０００５】
なお、遊技機の他の例としてスロットマシンがある。スロットマシンにおいても、遊技媒体としてのメダルを排出する排出口を開閉する開閉蓋を開閉させる機構が必要であり、簡単な構成の機構の出現が待たれていた。
【０００６】
本発明は、排出口を開閉する開閉蓋を作動させる機構を簡単にした遊技機を提供することを目的としている。
【課題を解決するための手段】
【０００７】
請求項１に係る発明は、遊技者が遊技を行い所定の入賞条件を満たしたことに基づいて所定数の遊技媒体を払い出す遊技機において、前記払い出された遊技媒体を受け取り該受け取った遊技媒体を貯留する受け皿と、前記受け皿に形成されて前記遊技媒体を排出する排出口と、前記排出口を開閉する開閉蓋と、前記開閉蓋を回転させる回転部材と、を備え、前記開閉蓋は、前記受け皿の底部に対して交差する方向に回転可能であることを特徴とする遊技機である。
【０００８】
請求項２に係る発明は、前記排出口を開いた状態と閉じた状態とに前記開閉蓋を選択的に保持する保持手段を備えたことを特徴とする請求項１に記載の遊技機である。
【０００９】
なお、括弧内の符号は、便宜的に、図面と対照しやすくするために付したものであって、本発明の構成をなんら限定するものではない。
【発明の効果】
【００１０】
請求項１に係る遊技機は、遊技者が回転部材を回すと、開閉蓋が回転して排出口を開閉するようになっているので、簡単な構造によって遊技媒体を排出することができる。
【００１１】
請求項２に係る遊技機は、保持手段によって、排出口を開いた状態と閉じた状態とに開閉蓋を選択的に保持するようになっているので、一度、開閉蓋を開放すると、その開放が保持されるため、遊技者が受け皿の貯留状態を確認しながら複数回開閉蓋の操作を行うという煩わしい操作を解消することができる。
【発明を実施するための最良の形態】
【００１２】
以下、本発明の実施形態の遊技機としてのパチンコ機を図に基づいて説明する。
【００１３】
図１は、本発明の実施形態における遊技機としてのパチンコ機の概略正面図である。図２は、図１のパチンコ機の底面図である。図３は、皿ユニットの外観斜視図である。図４は、開閉蓋とつまみとの斜視図である。
【００１４】
遊技機としてのパチンコ機１１は、筐体１２と、筐体１２に開閉自在に装備された不図示の賞球口を複数有する遊技盤１３と、遊技盤１３の下方に設けられて賞球口に遊技媒体としてのパチンコ球が入賞したとき賞球（パチンコ球）が払い出される皿ユニット１４等を備えている。
【００１５】
皿ユニット１４は、パチンコ球を受け取る受け皿２１と、パチンコ球をモータによって発射させる不図示の発射装置を操作するハンドル２４等を有している。
【００１６】
図３に示すように、受け皿２１は、賞球としてのパチンコ球が払い出される払い出し口とそのパチンコ球を受け入れる受け入れ口とを兼用した賞球払い出し受け入れ口２７と、パチンコ球を落下させる排出口としての落下穴２８と、落下穴２８を塞ぐ円板状の開閉蓋２９と、開閉蓋２９に連結軸３３によって連結された回転部材としての余剰球抜きつまみ２３と、パチンコ球を発射する不図示の発射装置にパチンコ球を供給する下り勾配の供給路３０と、遊技者がまとまった数のパチンコ球を供給しやすくした球受け入れ部３１と、受け皿２１内のすべてのパチンコ球を排出する全球抜きボタン３２と、受け皿２１に溜まっているパチンコ球が排出される球抜き穴２２と、落下穴２８に落下したパチンコ球を球抜き穴２２に案内する排出案内路３９等を有している。
【００１７】
受け皿２１の賞球払い出し受け入れ口２７周辺の受け入れ面４０、供給路３０、球受け入れ部３１等は、受け皿２１の底部４１を構成している。
【００１８】
余剰球抜きつまみ２３には、開閉蓋２９の向きとほぼ同じ向きに形成されて指で掴むことのできる突片３４を形成してある。余剰球抜きつまみ２３の裏面には、約９０度間隔で４つの位置決め凹部３５を形成してある。位置決め凹部３５には、位置決め弾性片３６が没入するようになっている。位置決め弾性片３６は、位置決め凹部３５に没入することによって、余剰球抜きつまみ２３を位置決めして、開閉蓋２９が落下穴２８を閉じた位置と開いた位置とに位置決めするようになっている。位置決め弾性片３６は、受け皿２１に設けてある。
【００１９】
したがって、位置決め凹部３５と、位置決め弾性片３６は、落下穴２８を開いた状態と閉じた状態とに開閉蓋２９を選択的に保持する保持手段を構成している。
【００２０】
図２に示すように、受け皿２１の下面には、球抜き穴２２を形成してある。球抜き穴２２は、構造上、皿ユニット１４の周囲の上方からは見えない位置に形成してある。すなわち、球抜き穴２２は、皿ユニット１４の下から覗き込まないと見えない位置に形成してある。また、球抜き穴２２は、開閉蓋を備えていない。このため、落下穴２８から落下したパチンコ球は、球抜き穴２２からすぐに排出される。
【００２１】
皿ユニット１４内のパチンコ球の流れと、パチンコ球の排出を説明する。
【００２２】
遊技開始前、余剰球抜きつまみ２３は、突片３４がほぼ水平になるように、位置決め凹部３５と位置決め弾性片３６との係合によって位置決めされている。突片３４の向きと開閉蓋２９の向きは、ほぼ同じであるので、開閉蓋２９もほぼ水平に保持されて、開閉蓋２９は、落下穴２８を塞いでいる。
【００２３】
遊技開始前に遊技者によって球受け入れ部３１に供給されたパチンコ球は、下り勾配のスロープ３７と、供給路３０とを転がって、不図示の発射装置に入る。賞球払い出し受け入れ口２７から払い出された賞球としてのパチンコ球も、供給路３０を転がって、発射装置に入る。パチンコ球の数回の入賞によって、発射装置によって発射されるパチンコ球より賞球払い出し受け入れ口２７から払い出されるパチンコ球の方が多くなると、パチンコ球が受け皿２１に溜まる。零れる位に溜まると、遊技者は、突片３４を摘まんで余剰球抜きつまみ２３を約９０度回転させて突片３４の向きを縦にする。回転させられた余剰球抜きつまみ２３は、別の位置決め凹部３５が位置決め弾性片３６に係合して、約９０度回転させられた位置に保持される。一方、突片３４の向きと開閉蓋２９の向きは，ほぼ同じであるので、開閉蓋２９もほぼ縦になり、落下穴２８を開く。すなわち、開閉蓋２９は、受け皿２１の底部４１に対して交差する方向に（開閉蓋の厚み方向）に回転して、落下穴２８を開く。
【００２４】
パチンコ球は、開いた落下穴２８から排出案内路３９に落下し、球抜き穴２２から排出される。球抜き穴２２の下には、あらかじめ、遊技者が賞球箱（いわゆる、ドル箱）を用意してあるので、球抜き穴２２から排出されたパチンコ球は、賞球箱に受け止められる。
【００２５】
落下穴２８を開いたとき、すべてのパチンコ球が落下穴２８から排出されることはない。すなわち、落下穴２８が供給路３０より高い位置に形成されているので、供給路３０に溜まったパチンコ球は、排出されることがなく、不図示の発射装置に供給される。落下穴２８からパチンコ球が落下しなくなると、余剰球抜きつまみ２３を、突片３４がほぼ水平な状態になるまで回転させる。この結果、開閉蓋２９は、落下穴２８を閉じる。
【００２６】
したがって、本実施形態のパチンコ機１１は、遊技を継続しながら、上皿２５からパチンコ球が零れ出ないようにパチンコ球を排出することができる。すべてのパチンコ球を排出するには、球抜きボタン３２を押すと、供給路３０と、発射装置等に溜まっていたパチンコ球が不図示の通路を経て球抜き穴２２から排出される。
【００２７】
以上説明したように、本実施形態のパチンコ機１１は、余剰球抜きつまみ２３を約９０度回転させて、余剰球抜きつまみ２３と連結軸３３によって連結された開閉蓋２９を開閉するようになっているので、簡単な構造で、簡単な操作によってパチンコ球を排出することができる。
【００２８】
なお、球抜き穴２２に本発明の開閉蓋を設け、その開閉蓋をつまみによって回転させて、球抜き穴２２を開閉できるようにしてもよい。
【００２９】
また、落下穴２８と開閉蓋２９は、円形に形成してあるが、必ずしも円形である必要はない。連結軸３３を線対称とする形状であればよい。
【００３０】
さらに、突片３４の代わりに溝を形成したり、余剰球抜きつまみに「開」「閉」の文字を記したり、帯状に着色したりして、開閉蓋２９の開閉状態が外部から判断できるようにしてもよい。
【００３１】
なお、遊技機の他の例としてスロットマシンがある。スロットマシンにおいても、遊技媒体としてのメダルを排出する排出口を開閉する開閉蓋を開閉させる機構に本発明を適用して、メダルを簡単な構造によって排出することができるようになる。
【図面の簡単な説明】
【００３２】
【図１】本発明の実施形態における遊技機としてのパチンコ機の概略正面図である。
【図２】図１のパチンコ機の底面図である。
【図３】皿ユニットの外観斜視図である。
【図４】開閉蓋とつまみとの斜視図である。
【符号の説明】
【００３３】
１１      パチンコ機（遊技機）
１４      皿ユニット
２１      受け皿
２２      球抜き穴
２３      余剰球抜きつまみ（回転部材）
２７      賞球払い出し受け入れ口
２８      落下穴（排出口）
２９      開閉蓋
３３      連結軸
３４      突片
３５      位置決め凹部（保持手段）
３６      位置決め弾性片（保持手段）
４１      受け皿の底部
【図１】
2005230321.tif 000003
【図２】
2005230321.tif 000004
【図３】
2005230321.tif 000005
【図４】
2005230321.tif 000006